(57)【要約】【課題】２つの変速位置の間にニュートラル位置が存在している構成を有する変速機を備える内燃機関を搭載する車両において、運転者の意思に反してニュートラル位置であると判定されることを防ぐことができ、所定の制御を正しく実行することができる変速位置検出装置を提供する。【解決手段】変速位置検出装置１は、第１の回転角を検出した際に１速であると判定し、第２の回転角を検出した際に２速であると判定すると共に、第１の回転角と第２の回転角との間のニュートラル回転角を検出した状態が所定時間継続した際に、ニュートラル位置であると判定し、１速又は２速であると判定した場合と、ニュートラル位置であると判定した場合と、で車両に対して所定の制御を実行するか否かを異ならせる制御部５と、を有している。【選択図】図１
2019039497.tif 000002
【特許請求の範囲】
【請求項１】
エンジン、前記エンジンの出力を変速する変速機及び前記変速機のシフトドラムの回転角に応じた出力信号を出力するギアポジションセンサを備えた車両に搭載される変速位置検出装置であって、
前記回転角に応じて線形に変化する前記出力信号の出力値に基づいて前記回転角を検出する変速位置検出部と、
前記変速位置検出部により検出した前記回転角に対応する前記変速機の変速位置を判定する制御部と、
を有し、
前記変速位置検出部は、
前記出力値に基づいて前記回転角として、第１の回転角と、第２の回転角と、前記第１の回転角と前記第２の回転角との間のニュートラル回転角と、を検出し、
前記制御部は、
前記変速位置検出部により前記第１の回転角を検出した際に第１の変速位置であると判定し、前記変速位置検出部により前記第２の回転角を検出した際に第２の変速位置であると判定すると共に、前記変速位置検出部により前記ニュートラル回転角を検出した状態が所定時間継続した際にニュートラル位置であると判定し、前記第１の変速位置又は前記第２の変速位置であると判定した場合と、前記ニュートラル位置であると判定した場合と、で前記車両に対して所定の制御を実行するか否かを異ならせる、
ことを特徴とする変速位置検出装置。
【請求項２】
前記所定時間は、
前記車両の運転者により前記第１の変速位置から前記第２の変速位置に変速されるまでの時間、又は前記第２の変速位置から前記第１の変速位置に変速されるまでの時間よりも長い時間に設定される、
ことを特徴とする請求項１記載の変速位置検出装置。
【発明の詳細な説明】
【技術分野】
【０００１】
本発明は、変速機の変速段を検出するギアポジションセンサを備えた車両に搭載される変速位置検出装置に関する。
【背景技術】
【０００２】
自動二輪車等の車両の中には、運転者のシフト操作によりシフトする変速段を検出するギアポジションセンサを備えるものがある。かかるギアポジションセンサは、エンジン等の内燃機関の出力を変速する変速機のシフトドラムの回転角に応じた電気信号を出力する。このようなギアポジションセンサを設けた車両では、ギアポジションセンサからの電気信号に基づき変速段を検出した際に、その変速段に応じてエンジンの出力制御を実行又は終了する構成を採用するものがある。
【０００３】
かかる状況下で、特許文献１は、内燃機関用制御装置に関し、ギアシフトスイッチ１の出力端子Ｐと可動接点Ｍとの間の電圧をギア位置検出電圧発生回路２に入力して得られたギア位置検出電圧Ｖgを、マイクロコンピュータ４に入力して判定用電圧と比較することにより、ギアシフトスイッチ１の可動接点Ｍが変速機のいずれかのシフト位置に対応する位置にあるのか、またはギアシフトスイッチが開放状態にあるのかを判別する構成を開示している。特許文献１の内燃機関用制御装置は、ギアシフトスイッチ１の開放状態の継続時間を計測して、開放状態の継続時間を設定値と比較し、開放状態の継続時間が設定値以上になったときに、変速機がニュートラル位置にあると判定する。
【先行技術文献】
【特許文献】
【０００４】
【特許文献１】特開平１０−１０３４６０号公報
【発明の概要】
【発明が解決しようとする課題】
【０００５】
しかしながら、本発明者の検討によれば、自動二輪車等の車両に搭載される例えばリターン式の変速機では、１速から２速又は２速から１速に変速される間に、一時的にニュートラル位置となるため、車両の運転者が１速から２速に又は２速から１速にシフト操作をした場合に、１速から２速又は２速から１速に直接変速したいという運転者の意思に反して、車両では、１速からニュートラル位置を経て２速に又は２速からニュートラル位置を経て１速にシフト操作されたものと判定して制御を行う。従って、１速から２速又は２速から１速に変速する途中でニュートラル位置であると判定された際に、例えば所定の制御が解除されることにより、車両の挙動が急変したり、運転者に違和感を与える恐れがあると共に、車両のインジケータ等にニュートラル位置であることを示すランプが不用意に点灯する恐れがある。
【０００６】
本発明者の更なる検討によれば、特許文献１に開示されている装置は、２つの変速位置の間にニュートラル位置がなく、シフト操作の途中で必然的にニュートラル位置になる構成を有していない。従って、２つの変速位置の間にニュートラル位置を有する変速機については改良の余地がある。
【０００７】
本発明は、以上の検討を経てなされたものであり、２つの変速位置の間にニュートラル位置が存在している構成を有する変速機を備える内燃機関を搭載する車両において、運転者の意思に反してニュートラル位置であると判定されることを防ぐことができ、所定の制御を正しく実行することができる変速位置検出装置を提供することを目的とする。
【課題を解決するための手段】
【０００８】
以上の目的を達成するべく、本発明は、第１の局面において、エンジン、前記エンジンの出力を変速する変速機及び前記変速機のシフトドラムの回転角に応じた出力信号を出力するギアポジションセンサを備えた車両に搭載される変速位置検出装置であって、前記回転角に応じて線形に変化する前記出力信号の出力値に基づいて前記回転角を検出する変速位置検出部と、前記変速位置検出部により検出した前記回転角に対応する前記変速機の変速位置を判定する制御部と、を有し、前記変速位置検出部は、前記出力値に基づいて前記回転角として、第１の回転角と、第２の回転角と、前記第１の回転角と前記第２の回転角との間のニュートラル回転角と、を検出し、前記制御部は、前記変速位置検出部により前記第１の回転角を検出した際に第１の変速位置であると判定し、前記変速位置検出部により前記第２の回転角を検出した際に第２の変速位置であると判定すると共に、前記変速位置検出部により前記ニュートラル回転角を検出した状態が所定時間継続した際にニュートラル位置であると判定し、前記第１の変速位置又は前記第２の変速位置であると判定した場合と、前記ニュートラル位置であると判定した場合と、で前記車両に対して所定の制御を実行するか否かを異ならせる変速位置検出装置である。
【０００９】
本発明は、第１の局面に加えて、前記所定時間は、前記車両の運転者により前記第１の変速位置から前記第２の変速位置に変速されるまでの時間、又は前記第２の変速位置から前記第１の変速位置に変速されるまでの時間よりも長い時間に設定されることを第２の局面とする。
【発明の効果】
【００１０】
本発明の第１の局面にかかる変速位置検出装置においては、エンジン、エンジンの出力を変速する変速機及び変速機のシフトドラムの回転角に応じた出力信号を出力するギアポジションセンサを備えた車両に搭載される変速位置検出装置であって、回転角に応じて線形に変化する出力信号の出力値に基づいて回転角を検出する変速位置検出部と、変速位置検出部により検出した回転角に対応する変速機の変速位置を判定する制御部と、を有し、変速位置検出部は、出力値に基づいて回転角として、第１の回転角と、第２の回転角と、第１の回転角と第２の回転角との間のニュートラル回転角と、を検出し、制御部は、変速位置検出部により第１の回転角を検出した際に第１の変速位置であると判定し、変速位置検出部により第２の回転角を検出した際に第２の変速位置であると判定すると共に、変速位置検出部によりニュートラル回転角を検出した状態が所定時間継続した際にニュートラル位置であると判定し、第１の変速位置又は第２の変速位置であると判定した場合と、ニュートラル位置であると判定した場合と、で車両に対して所定の制御を実行するか否かを異ならせるものであるため、２つの変速位置の間にニュートラル位置が存在している構成を有する変速機を備える内燃機関を搭載する車両において、運転者の意思に反してニュートラル位置であると判定されることを防ぐことができ、所定の制御を正しく実行することができる。
【００１１】
また、本発明の第２の局面にかかる変速位置検出装置によれば、所定時間は、車両の運転者により第１の変速位置から第２の変速位置に変速されるまでの時間、又は第２の変速位置から第１の変速位置に変速されるまでの時間よりも長い時間に設定されるものであるため、変速中に運転者の意思とは関係なくニュートラル位置と判定されることを防ぐことができる。
【図面の簡単な説明】
【００１２】
【図１】図１は、本発明の実施形態における変速位置検出装置の構成を示すブロック図である。
【図２】図２は、本発明の実施形態におけるギア判断処理の流れを示すフロー図である。
【図３】図３は、本発明の実施形態におけるシフト操作時のギアポジションセンサの出力電圧の推移を示す図である。
【発明を実施するための形態】
【００１３】
以下、図面を適宜参照して、本発明の実施形態における変速位置検出装置につき、詳細に説明する。
【００１４】
＜変速位置検出装置の構成＞
まず、図１を参照して、本実施形態における変速位置検出装置の構成について説明する。
【００１５】
図１は、本実施形態における変速位置検出装置の構成を示すブロック図である。
【００１６】
図１に示すように、本実施形態における変速位置検出装置１は、ＥＣＵ（Ｅｌｅｃｔｒｏｎｉｃ  Ｃｏｎｔｒｏｌ  Ｕｎｉｔ）等の電子制御装置によって構成され、図示を省略するメインクラッチ及びドッグ式トランスミッションを介してエンジンの駆動力を駆動輪に伝達する典型的には自動二輪車等の鞍乗型車両に搭載されている。
【００１７】
変速位置検出装置１は、クラッチ状態検出部２、変速操作検出部３、変速段検出部４、制御部５、モータ駆動回路６、点火栓駆動回路７、燃料噴射弁駆動回路８及びカウンタ９を備えている。なお、これらのクラッチ状態検出部２、変速操作検出部３、変速段検出部４、及び制御部５は各々機能ブロックとして示している。また、変速位置検出装置１は、図示を省略するメモリ等を備えており、メモリには、変速位置検出装置１に必要な制御プログラム及び制御データ等が格納されている。
【００１８】
具体的には、クラッチ状態検出部２は、運転者がメインクラッチを接続又は遮断する際のその操作に関する情報を坦持するクラッチスイッチ１１からの入力信号に基づいて、メインクラッチの接続又は遮断を検出する。クラッチ状態検出部２は、このように検出したメインクラッチの断続操作に応じた電気信号を制御部５に入力する。
【００１９】
変速操作検出部３は、運転者がドッグ式トランスミッションの変速操作を行う際のその変速操作に関する情報を坦持する変速操作スイッチ１２からの入力信号に基づいて、ドッグ式トランスミッションの変速操作を検出する。変速操作検出部３は、このように検出したドッグ式トランスミッションの変速操作の有無に応じた電気信号を制御部５に入力する。
【００２０】
変速段検出部４は、ギアポジションセンサ１３が出力するドッグ式トランスミッションのシフトドラムの回転角に応じた出力信号の出力値に基づいて、ドッグ式トランスミッションで選択されている変速段（ギアポジション）に対応するシフトドラムの回転角を検出する。この際に、変速段検出部４は、ギアポジションセンサ１３が出力する出力信号の出力値に基づいて、１速に対応する回転角と２速に対応する回転角との間のニュートラル位置に対応するニュートラル回転角を検出する。かかる出力信号の出力値は、シフトドラムの回転角に応じて線形に変化し、典型的には電圧値である。変速段検出部４は、このように検出したシフトドラムの回転角を示す電気信号を制御部５に入力する。
【００２１】
制御部５は、クラッチ状態検出部２、変速操作検出部３及び変速段検出部４からの電気信号と、大気圧センサ１５、スロットルポジションセンサ１６、アクセル開度センサ１７、及びクランク角センサ１８からの入力信号と、を用いて、モータ駆動回路６、点火栓駆動回路７、燃料噴射弁駆動回路８又はインジケータ駆動回路２２を制御する。
【００２２】
ここで、大気圧センサ１５は、大気圧に応じた電気信号を入力する。スロットルポジションセンサ１６は、エンジンのスロットル開度に応じた電気信号を入力する。アクセル開度センサ１７は、鞍乗型車両のアクセルグリップ等のアクセル操作部材の操作量（アクセル開度）に応じた電気信号を入力する。また、クランク角センサ１８は、エンジンのクランク角（クランク軸の回転角度）に応じた電気信号を入力する。
【００２３】
制御部５は、後述のギア判断処理を実行することにより、変速段検出部４からの電気信号及びカウンタ９でカウントするカウント値に基づいて、変速段検出部４により検出したシフトドラムの回転角に対応する変速段を判定する。制御部５は、所定の制御を実行している場合において変速段がニュートラル位置であると判定した場合には所定の制御を解除し、又は変速段がニュートラル位置であると判定した場合には所定の制御を実行する。
【００２４】
ここで、変速段がニュートラル位置であると判定された場合に解除される所定の制御は、スロットル開度の制限制御、燃料カット制御、点火カット制御、エンジンの出力制御（トラクションコントロール）、アクセル操作よりもブレーキ操作を優先する制御（ブレーキオーバーライド）、エンジンの過回転防止制御、車両の速度制御（クルーズコントロール）又はドッグ式変速機のドッグ同士の係合を解除し又は弱める変速制御（変速アシスト制御）等である。また、上記のエンジンの出力制御は、スロットル開度制御、燃料噴射量制御、燃料カット制御、点火時期制御又は点火カット制御等である。変速段がニュートラル位置であると判定された場合に実行される所定の制御は、インジケータ２３に対するニュートラル位置を示す点灯制御、エンジンのアイドル回転数制御（アイドルスピードコントロール）における吸気量制御又はエンジンの始動制御等である。
【００２５】
制御部５は、上記の変速制御時において、クラッチ状態検出部２がメインクラッチの接続を検出している状態において変速操作検出部３がドッグ式トランスミッションの変速操作を検出した場合には、ドッグ式トランスミッションのドッグ同士の係合を解除し又は弱めて、ドッグ式トランスミッションの変速が可能となるようにエンジンの駆動力を制御する。具体的には、制御部５は、上記のエンジンの駆動力の制御を行うために、点火の停止及び／又は燃料の噴射の停止を実行するように点火栓駆動回路７及び／又は燃料噴射弁駆動回路８を制御すると共に、エンジンのスロットルバルブの開度（スロットル開度）、つまり実際のスロットル開度である実スロットル開度を調整するようにモータ駆動回路６を制御する。そして、制御部５は、このような、点火の停止、燃料の噴射の停止及びスロットル開度の調整のための各々の制御信号を、点火栓駆動回路７、燃料噴射弁駆動回路８及びモータ駆動回路６に入力する。
【００２６】
モータ駆動回路６は、制御部５からの制御信号に従って、スロットルモータ１４を駆動することによってスロットル開度を制御する。
【００２７】
点火栓駆動回路７は、制御部５からの制御信号に従って、エンジンの点火栓１９によるエンジンへの点火動作、つまり点火の開始、停止及び再開といった一連の点火動作を制御する。
【００２８】
燃料噴射弁駆動回路８は、制御部５からの制御信号に従って、エンジンに燃料を噴射する燃料噴射弁２０の、つまり燃料噴射の開始、停止及び再開といった一連の燃料噴射動作を制御する。
【００２９】
カウンタ９は、制御部５の制御により、所定の値を設定可能であり、所定の値からのカウントを開始すると共にカウントを停止する。
【００３０】
表示装置２１は、車両の図示しないメータ装置に備えられ、インジケータ駆動回路２２及びインジケータ２３を備えている。
【００３１】
インジケータ駆動回路２２は、制御部５からの制御信号に従って、インジケータ２３に車速、燃料の残量及び変速段等を表示させるための表示動作を制御する。
【００３２】
インジケータ２３は、車両の操作者によって視認され、インジケータ駆動回路２２の表示動作により、車速、燃料の残量及び変速段等を表示する。
【００３３】
＜ギア判断処理＞
上記構成を有する変速位置検出装置１では、変速段を判断するギア判断処理を実行する。以下、図２及び図３を参照して、本実施形態におけるギア判断処理の具体的な流れについて詳しく説明する。
【００３４】
図２は、本発明の実施形態におけるギア判断処理の流れを示すフロー図である。
【００３５】
図２に示すギア判断処理は、車両のイグニッションスイッチが最初にオンされて変速位置検出装置１が起動されたタイミングで開始となり、ギア判断処理はステップＳ１の処理に進む。かかるギア判断処理は、所定の制御周期毎に繰り返し実行される。
【００３６】
ステップＳ１の処理では、制御部５が、変速段検出部４から入力される電気信号の示すシフトドラムの回転角に基づいて、ギアポジション（変速段）は１速であるか否かを判定する。判定の結果、ギアポジションが１速である場合には、制御部５は、ギア判断処理をステップＳ９に進める。一方、ギアポジションが１速ではない場合には、制御部５は、ギア判断処理をステップＳ２に進める。
【００３７】
ステップＳ２の処理では、制御部５が、変速段検出部４から入力される電気信号の示すシフトドラムの回転角に基づいて、ギアポジションは２速であるか否かを判定する。判定の結果、ギアポジションが２速である場合には、制御部５は、ギア判断処理をステップＳ１２に進める。一方、ギアポジションが２速ではない場合には、制御部５は、ギア判断処理をステップＳ３に進める。
【００３８】
ステップＳ３の処理では、制御部５が、変速段検出部４から入力された電気信号の示すシフトドラムの回転角に基づいて、ギアポジションは３速であるか否かを判定する。判定の結果、ギアポジションが３速である場合には、制御部５は、ギア判断処理をステップＳ１５に進める。一方、ギアポジションが３速ではない場合には、制御部５は、ギア判断処理をステップＳ４に進める。
【００３９】
ステップＳ４の処理では、制御部５が、変速段検出部４から入力される電気信号の示すシフトドラムの回転角に基づいて、ギアポジションとしてニュートラル位置を検出したか否かを判定する。判定の結果、ギアポジションとしてニュートラル位置を検出した場合には、制御部５は、カウンタ９でカウントしていない場合にはカウンタ９でのカウントを開始させてギア判断処理をステップＳ５に進め、カウンタ９でカウントしている場合にはカウントを継続させてギア判断処理をステップＳ５に進める。一方、ギアポジションとしてニュートラル位置を検出しない場合には、制御部５は、ギア判断処理を終了する。
【００４０】
ステップＳ５の処理では、制御部５が、カウンタ９でカウントするカウント値が０になったか否かを判定する。判定の結果、カウント値が０になった場合には、制御部５は、ギア判断処理をステップＳ６に進める。カウンタ９がカウントを開始してからカウント値が０になるまでの所定時間は、１速から２速又は２速から１速に変速操作する運転者のうちの最も変速操作が遅いと想定される運転者の変速操作に要する時間よりも長く設定されており、例えば３０ｍｓｅｃである。一方、カウント値が０になっていない場合には、制御部５は、ギア判断処理をステップＳ８に進める。なお、カウンタ９がカウントを開始してからカウント値が０になるまでの所定時間は、上記に限らず、１速から２速又は２速から１速に変速操作する各運転者の変速操作に要する時間の平均時間でもよい。
【００４１】
ステップＳ６の処理では、制御部５が、図示しないバッファに０を格納する。これにより、ステップＳ６の処理は完了し、ギア判断処理をステップＳ７に進める。
【００４２】
ステップＳ７の処理では、制御部５が、ステップＳ４においてギアポジションとしてニュートラル位置を検出していると共に、ステップＳ５においてカウント値が０であると判定したため、ニュートラル位置であると判定する。これにより、ステップＳ７の処理は完了し、ギア判断処理を終了する。
【００４３】
ステップＳ８の処理では、制御部５が、カウンタ９でカウントするカウント値をデクリメントしてカウンタ９を減算する。これにより、ステップＳ８の処理は完了し、ギア判断処理を終了する。
【００４４】
ステップＳ９の処理では、制御部５が、バッファに１を格納する。これにより、ステップＳ９の処理は完了し、ギア判断処理をステップＳ１０に進める。
【００４５】
ステップＳ１０の処理では、制御部５が、カウンタ９に所定の値をセットする。これにより、ステップＳ１０の処理は完了し、ギア判断処理をステップＳ１１に進める。
【００４６】
ステップＳ１１の処理では、制御部５が、ギアポジションは１速と判定する。これにより、ステップＳ１１の処理は完了し、ギア判断処理を終了する。
【００４７】
ステップＳ１２の処理では、制御部５が、バッファに２を格納する。これにより、ステップＳ１２の処理は完了し、ギア判断処理をステップＳ１３に進める。
【００４８】
ステップＳ１３の処理では、制御部５が、カウンタ９に所定の値をセットする。これにより、ステップＳ１３の処理は完了し、ギア判断処理をステップＳ１４に進める。
【００４９】
ステップＳ１４の処理では、制御部５が、ギアポジションは２速と判定する。これにより、ステップＳ１４の処理は完了し、ギア判断処理を終了する。
【００５０】
ステップＳ１５の処理では、制御部５が、バッファに３を格納する。これにより、ステップＳ１５の処理は完了し、ギア判断処理をステップＳ１６に進める。
【００５１】
ステップＳ１６の処理では、制御部５が、カウンタ９に所定の値をセットする。これにより、ステップＳ１６の処理は完了し、ギア判断処理をステップＳ１７に進める。
【００５２】
ステップＳ１７の処理では、制御部５が、ギアポジションは３速と判定する。これにより、ステップＳ１７の処理は完了し、ギア判断処理を終了する。
【００５３】
続いて、図３を参照して、本実施形態における変速位置検出装置１が実行するギア判断処理について、具体例を用いて説明する。図３では、ギアポジションセンサ１３の出力信号の出力値として電圧値を用いる場合について説明する。
【００５４】
図３は、本発明の実施形態におけるシフト操作時のギアポジションセンサの出力電圧の推移を示す図である。図３は、１速に対応するシフトドラムの回転角と、２速に対応するシフトドラムの回転角と、の間にニュートラル位置に対応するニュートラル回転角が存在する変速機において、運転者により１速から２速に変速操作される場合を示している。
【００５５】
時刻ｔ＝ｔ１までにおいて、制御部５は、図２に示すステップＳ１及びステップＳ９からステップＳ１１までの処理を繰り返すことにより、ギアポジションセンサ１３の出力信号の電圧値が１速の下限閾値ＴＨ１Ｌ以上且つ１速の上限閾値ＴＨ１Ｈ以下であるため、ギアポジションは１速であると判定する。
【００５６】
時刻ｔ＝ｔ１において、運転者がドッグ式トランスミッションを１速から２速に変速させる変速操作を開始する。
【００５７】
時刻ｔ＝ｔ２において、ギアポジションセンサ１３の出力信号の電圧値は、１速の上限閾値ＴＨ１Ｈ以上となる。
【００５８】
時刻ｔ＝ｔ３において、ギアポジションセンサ１３の出力信号の電圧値はニュートラルの下限閾値ＴＨＮＬ以上となり、制御部５は、図２に示すステップＳ１からステップＳ４までの処理を実行して、カウンタ９にカウントを開始させる。カウンタ９は、ステップＳ１からステップＳ５まで及びステップＳ８の処理を繰り返す毎に、設定されたカウント値ｎ（ｎは正の整数）を順次デクリメントする。
【００５９】
時刻ｔ＝ｔ４において、ギアポジションセンサ１３の出力信号の電圧値はニュートラル上限閾値ＴＨＮＨ以上となる。
【００６０】
時刻ｔ＝ｔ３からｔ４までの間において、ギアポジションセンサ１３の出力信号の電圧値がニュートラル下限閾値ＴＨＮＬ以上且つニュートラル上限閾値ＴＨＮＨ以下となり、従来ではニュートラル位置であると判定されていたが、本実施形態においては、制御部５は、ステップＳ４においてギアポジションとしてニュートラル位置を検出するものの、カウンタ９のカウント値が０でないためニュートラル位置であるとは判定しない。
【００６１】
時刻ｔ＝ｔ５において、ギアポジションセンサ１３の出力信号の電圧値は２速の下限閾値ＴＨ２Ｌ以上となり、制御部５は、図２に示すステップＳ１、ステップＳ２及びステップＳ１２からステップＳ１４までの処理を実行して、ギアポジションは２速であると判定し、カウンタ９のカウント値をｎに戻す。このように、カウンタ９でカウントするカウント値が０になる前に、ギアポジションセンサ１３の出力信号の電圧値が２速の下限閾値ＴＨ２Ｌ以上となるため、制御部５は、ニュートラル位置と判定することなく１速から２速に変速操作されたものと判定する。これにより、２つの変速位置の間にニュートラル位置が存在している構成を有する変速機を備える内燃機関を搭載する車両において、１速から２速に直接変速したいという運転者の意思に反してニュートラル位置であると判定されることを防ぐことができる。
【００６２】
時刻ｔ＝ｔ５以降において、図２に示すステップＳ１、ステップＳ２及びステップＳ１２からステップＳ１４までの処理を繰り返すことにより、ギアポジションセンサ１３の出力信号の電圧値は２速の下限閾値ＴＨ２Ｌ以上且つ２速上限閾値ＴＨ２Ｈ以下であるため、ギアポジションは２速であると判定する。
【００６３】
そして、制御部５は、上記のギア判断処理を実行して判定したギアポジションに基づいて、所定の制御を実行又は解除する。これにより、２つの変速位置の間にニュートラル位置が存在している構成を有する変速機を備える内燃機関を搭載する車両において、所定の制御を正しく実行することができる。
【００６４】
以上の本実施形態における変速位置検出装置では、第１の回転角を検出した際に１速であると判定し、第２の回転角を検出した際に２速であると判定すると共に、第１の回転角と第２の回転角との間のニュートラル回転角を検出した状態が所定時間継続した際にニュートラル位置であると判定し、１速又は２速であると判定した場合と、ニュートラル位置であると判定した場合と、で車両に対して所定の制御を実行するか否かを異ならせることにより、２つの変速位置の間にニュートラル位置が存在している構成を有する変速機を備える内燃機関を搭載する車両において、運転者の意思に反してニュートラル位置であると判定されることを防ぐことができ、所定の制御を正しく実行することができる
【００６５】
また、本実施形態における変速位置検出装置では、所定時間は、車両の運転者により１速から２速に変速されるまでの時間、又は２速から１速に変速されるまでの時間よりも長い時間に設定されることにより、変速中に運転者の意思とは関係なくニュートラル位置と判定されることを防ぐことができる。
【００６６】
本発明は、部材の種類、形状、配置、個数等は前述の実施形態に限定されるものではなく、その構成要素を同等の作用効果を奏するものに適宜置換する等、発明の要旨を逸脱しない範囲で適宜変更可能であることはもちろんである。
【００６７】
具体的には、上記実施形態において、１速と２速との間にニュートラル位置を有する構成の変速機について説明したが、１速と２速との間以外の例えば１速と３速との間にニュートラル位置を有する構成のロータリー式等の変速機にも適用することができる。
【産業上の利用可能性】
【００６８】
以上のように、本発明においては、２つの変速位置の間にニュートラル位置が存在している構成を有する変速機を備える内燃機関を搭載する車両において、運転者の意思に反してニュートラル位置であると判定されることを防ぐことができ、所定の制御を正しく実行することができる変速位置検出装置を提供することができ、その汎用普遍的な性格から自動二輪車等の車両の変速位置検出装置に広範に適用され得るものと期待される。
【符号の説明】
【００６９】
１…変速位置検出装置
２…クラッチ状態検出部
３…変速操作検出部
４…変速段検出部
５…制御部
６…モータ駆動回路
７…点火栓駆動回路
８…燃料噴射弁駆動回路
９…カウンタ
１１…クラッチスイッチ
１２…変速操作スイッチ
１３…ギアポジションセンサ
１４…スロットルモータ
１５…大気圧センサ
１６…スロットルポジションセンサ
１７…アクセル開度センサ
１８…クランク角センサ
１９…点火栓
２０…燃料噴射弁
２１…表示装置
２２…インジケータ駆動回路
２３…インジケータ
【図１】
2019039497.tif 000003
【図２】
2019039497.tif 000004
【図３】
2019039497.tif 000005
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
エンジン、前記エンジンの出力を変速する変速機及び前記変速機のシフトドラムの回転角に応じた出力信号を出力するギアポジションセンサを備えると共に、メインクラッチ及びドッグ式トランスミッションを順に介して前記エンジンの駆動力を駆動輪に伝達する車両に搭載される変速位置検出装置であって、
前記回転角に応じて線形に変化する前記出力信号の出力値に基づいて前記回転角を検出する変速位置検出部と、
前記メインクラッチの接続又は遮断を検出するクラッチ状態検出部と、
前記ドッグ式トランスミッションの変速操作を検出する変速操作検出部と、
前記変速位置検出部により検出した前記回転角に対応する前記変速機の変速位置を判定する制御部と、
を有し、
前記変速位置検出部は、
前記出力値に基づいて前記回転角として、第１の回転角と、第２の回転角と、前記第１の回転角と前記第２の回転角との間のニュートラル回転角と、を検出し、
前記制御部は、
前記クラッチ状態検出部が前記メインクラッチの接続を検出している状態において前記変速操作検出部が前記ドッグ式トランスミッションの前記変速操作を検出した場合には、前記ドッグ式トランスミッションのドッグ同士の係合を解除し又は弱めて、前記ドッグ式トランスミッションの変速が可能となるように、前記エンジンの駆動力を制御する変速制御を実行し、前記変速位置検出部により前記第１の回転角を検出した際に第１の変速位置であると判定し、前記変速位置検出部により前記第２の回転角を検出した際に第２の変速位置であると判定すると共に、前記変速位置検出部により前記ニュートラル回転角を検出した状態が所定時間継続した際にニュートラル位置であると判定し、前記ニュートラル位置であると判定した場合には前記変速制御を解除する、
ことを特徴とする変速位置検出装置。
【請求項２】
エンジン、前記エンジンの出力を変速する変速機及び前記変速機のシフトドラムの回転角に応じた出力信号を出力するギアポジションセンサを備えた車両に搭載される変速位置検出装置であって、
前記回転角に応じて線形に変化する前記出力信号の出力値に基づいて前記回転角を検出する変速位置検出部と、
前記変速位置検出部により検出した前記回転角に対応する前記変速機の変速位置を判定する制御部と、
を有し、
前記変速位置検出部は、
前記出力値に基づいて前記回転角として、第１の回転角と、第２の回転角と、前記第１の回転角と前記第２の回転角との間のニュートラル回転角と、を検出し、
前記制御部は、
前記車両の速度制御であるクルーズコントロールを実行し、前記変速位置検出部により前記第１の回転角を検出した際に第１の変速位置であると判定し、前記変速位置検出部により前記第２の回転角を検出した際に第２の変速位置であると判定すると共に、前記変速位置検出部により前記ニュートラル回転角を検出した状態が所定時間継続した際にニュートラル位置であると判定し、前記ニュートラル位置であると判定した場合には前記クルーズコントロールを解除する、
ことを特徴とする変速位置検出装置。
【請求項３】
エンジン、前記エンジンの出力を変速する変速機及び前記変速機のシフトドラムの回転角に応じた出力信号を出力するギアポジションセンサを備えた車両に搭載される変速位置検出装置であって、
前記回転角に応じて線形に変化する前記出力信号の出力値に基づいて前記回転角を検出する変速位置検出部と、
前記変速位置検出部により検出した前記回転角に対応する前記変速機の変速位置を判定する制御部と、
を有し、
前記変速位置検出部は、
前記出力値に基づいて前記回転角として、第１の回転角と、第２の回転角と、前記第１の回転角と前記第２の回転角との間のニュートラル回転角と、を検出し、
前記制御部は、
アクセル操作よりもブレーキ操作を優先する制御であるブレーキオーバーライドを実行し、前記変速位置検出部により前記第１の回転角を検出した際に第１の変速位置であると判定し、前記変速位置検出部により前記第２の回転角を検出した際に第２の変速位置であると判定すると共に、前記変速位置検出部により前記ニュートラル回転角を検出した状態が所定時間継続した際にニュートラル位置であると判定し、前記ニュートラル位置であると判定した場合には前記ブレーキオーバーライドを解除する、
ことを特徴とする変速位置検出装置。
【請求項４】
前記所定時間は、
前記車両の運転者により前記第１の変速位置から前記第２の変速位置に変速されるまでの時間、又は前記第２の変速位置から前記第１の変速位置に変速されるまでの時間よりも長い時間に設定される、
ことを特徴とする請求項１から請求項３のいずれかに記載の変速位置検出装置。
【手続補正２】
【補正対象書類名】明細書
【補正対象項目名】０００８
【補正方法】変更
【補正の内容】
【０００８】
以上の目的を達成するべく、本発明は、第１の局面において、エンジン、前記エンジンの出力を変速する変速機及び前記変速機のシフトドラムの回転角に応じた出力信号を出力するギアポジションセンサを備えると共に、メインクラッチ及びドッグ式トランスミッションを順に介して前記エンジンの駆動力を駆動輪に伝達する車両に搭載される変速位置検出装置であって、前記回転角に応じて線形に変化する前記出力信号の出力値に基づいて前記回転角を検出する変速位置検出部と、前記メインクラッチの接続又は遮断を検出するクラッチ状態検出部と、前記ドッグ式トランスミッションの変速操作を検出する変速操作検出部と、前記変速位置検出部により検出した前記回転角に対応する前記変速機の変速位置を判定する制御部と、を有し、前記変速位置検出部は、前記出力値に基づいて前記回転角として、第１の回転角と、第２の回転角と、前記第１の回転角と前記第２の回転角との間のニュートラル回転角と、を検出し、前記制御部は、前記クラッチ状態検出部が前記メインクラッチの接続を検出している状態において前記変速操作検出部が前記ドッグ式トランスミッションの前記変速操作を検出した場合には、前記ドッグ式トランスミッションのドッグ同士の係合を解除し又は弱めて、前記ドッグ式トランスミッションの変速が可能となるように、前記エンジンの駆動力を制御する変速制御を実行し、前記変速位置検出部により前記第１の回転角を検出した際に第１の変速位置であると判定し、前記変速位置検出部により前記第２の回転角を検出した際に第２の変速位置であると判定すると共に、前記変速位置検出部により前記ニュートラル回転角を検出した状態が所定時間継続した際にニュートラル位置であると判定し、前記ニュートラル位置であると判定した場合には前記変速制御を解除する変速位置検出装置である。
また、本発明は、第２の局面において、エンジン、前記エンジンの出力を変速する変速機及び前記変速機のシフトドラムの回転角に応じた出力信号を出力するギアポジションセンサを備えた車両に搭載される変速位置検出装置であって、前記回転角に応じて線形に変化する前記出力信号の出力値に基づいて前記回転角を検出する変速位置検出部と、前記変速位置検出部により検出した前記回転角に対応する前記変速機の変速位置を判定する制御部と、を有し、前記変速位置検出部は、前記出力値に基づいて前記回転角として、第１の回転角と、第２の回転角と、前記第１の回転角と前記第２の回転角との間のニュートラル回転角と、を検出し、前記制御部は、前記車両の速度制御であるクルーズコントロールを実行し、前記変速位置検出部により前記第１の回転角を検出した際に第１の変速位置であると判定し、前記変速位置検出部により前記第２の回転角を検出した際に第２の変速位置であると判定すると共に、前記変速位置検出部により前記ニュートラル回転角を検出した状態が所定時間継続した際にニュートラル位置であると判定し、前記ニュートラル位置であると判定した場合には前記クルーズコントロールを解除する変速位置検出装置である。
また、本発明は、第３の局面において、エンジン、前記エンジンの出力を変速する変速機及び前記変速機のシフトドラムの回転角に応じた出力信号を出力するギアポジションセンサを備えた車両に搭載される変速位置検出装置であって、前記回転角に応じて線形に変化する前記出力信号の出力値に基づいて前記回転角を検出する変速位置検出部と、前記変速位置検出部により検出した前記回転角に対応する前記変速機の変速位置を判定する制御部と、を有し、前記変速位置検出部は、前記出力値に基づいて前記回転角として、第１の回転角と、第２の回転角と、前記第１の回転角と前記第２の回転角との間のニュートラル回転角と、を検出し、前記制御部は、アクセル操作よりもブレーキ操作を優先する制御であるブレーキオーバーライドを実行し、前記変速位置検出部により前記第１の回転角を検出した際に第１の変速位置であると判定し、前記変速位置検出部により前記第２の回転角を検出した際に第２の変速位置であると判定すると共に、前記変速位置検出部により前記ニュートラル回転角を検出した状態が所定時間継続した際にニュートラル位置であると判定し、前記ニュートラル位置であると判定した場合には前記ブレーキオーバーライドを解除する変速位置検出装置である。
【手続補正３】
【補正対象書類名】明細書
【補正対象項目名】０００９
【補正方法】変更
【補正の内容】
【０００９】
本発明は、第１から第３の局面のいずれかに加えて、前記所定時間は、前記車両の運転者により前記第１の変速位置から前記第２の変速位置に変速されるまでの時間、又は前記第２の変速位置から前記第１の変速位置に変速されるまでの時間よりも長い時間に設定されることを第４の局面とする。